(57)【特許請求の範囲】
【請求項１】
複数の鍵と、
前記複数の鍵それぞれに対応して設けられ、当該複数の鍵それぞれの押鍵操作に応じて変位する伝達本体部を含む複数の伝達部材と、
前記複数の鍵それぞれに対応して設けられ、前記押鍵操作された鍵に対応する前記伝達部材の変位に応じて回転動作することにより、前記押鍵操作されている鍵に対してアクション荷重を付与する複数のハンマー部材と、
を備え、
前記複数の伝達部材それぞれは、前記伝達本体部の端部に設けられて上下方向に屈曲する伝達屈曲部と、この伝達屈曲部が連結された伝達連結保持部とを有し、前記伝達本体部、前記伝達屈曲部および前記伝達連結保持部が一体に形成されていることを特徴とする鍵盤装置のアクション機構。
【請求項２】
請求項１に記載の鍵盤装置のアクション機構において、前記複数の伝達部材は、前記伝達連結保持部が前記鍵の配列方向において前記複数の鍵に亘って形成され、当該伝達連結保持部に、前記複数の伝達本体部それぞれが前記複数の鍵それぞれに対応して配列された状態で、前記伝達屈曲部それぞれを介して一体に形成されていることを特徴とする鍵盤装置のアクション機構。
【請求項３】
請求項１または請求項２に記載の鍵盤装置のアクション機構において、前記複数の伝達部材は、前記複数の鍵それぞれに対応して配列された状態で、成型用金型によって一体に形成されていることを特徴とする鍵盤装置のアクション機構。
【請求項４】
請求項３に記載の鍵盤装置のアクション機構において、前記伝達本体部は、板部の両面に複数のリブが設けられており、前記複数のリブは、前記成型用金型による成型時における型抜き方向に沿い、かつ型抜き可能に形成されていることを特徴とする鍵盤装置のアクション機構。
【請求項５】
請求項１〜請求項４のいずれかに記載の鍵盤装置のアクション機構において、前記伝達屈曲部は、前記鍵の配列方向の長さが、前記伝達本体部における前記鍵の配列方向の長さよりも長く形成されていることを特徴とする鍵盤装置のアクション機構。
【請求項６】
複数の鍵と、
前記複数の鍵それぞれに対応して設けられ、当該複数の鍵それぞれの押鍵操作に応じて変位する伝達本体部を含む複数の伝達部材と、
前記複数の鍵それぞれに対応して設けられ、前記押鍵操作された鍵に対応する前記伝達部材の変位に応じて回転動作することにより、前記押鍵操作されている鍵に対してアクション荷重を付与するハンマー本体部を含む複数のハンマー部材と、
を備え、
前記複数の伝達部材それぞれは、前記伝達本体部の端部に設けられて上下方向に屈曲する伝達屈曲部と、この伝達屈曲部が連結された伝達連結保持部とを有し、前記伝達本体部、前記伝達屈曲部および前記伝達連結保持部が一体に形成されているとともに、
前記複数のハンマー部材それぞれは、前記ハンマー本体部の端部に設けられて上下方向に屈曲するハンマー屈曲部と、このハンマー屈曲部が連結されたハンマー連結保持部とを有し、前記ハンマー本体部、前記ハンマー屈曲部および前記ハンマー連結保持部が一体に形成されていることを特徴とする鍵盤装置のアクション機構。
【請求項７】
請求項６に記載の鍵盤装置のアクション機構において、前記複数のハンマー部材は、前記ハンマー連結保持部が前記鍵の配列方向において前記複数の鍵に亘って形成され、当該ハンマー連結保持部に、前記複数のハンマー本体部それぞれが前記複数の鍵それぞれに対応して配列された状態で、前記ハンマー屈曲部それぞれを介して一体に形成されていることを特徴とする鍵盤装置のアクション機構。
【請求項８】
請求項６または請求項７に記載の鍵盤装置のアクション機構において、前記複数のハンマー部材は、前記複数の鍵それぞれに対応して配列された状態で、成型用金型によって一体に形成されていることを特徴とする鍵盤装置のアクション機構。
【請求項９】
請求項８に記載の鍵盤装置のアクション機構において、前記ハンマー本体部は、板部の両面に複数のリブが設けられており、前記複数のリブは、前記成型用金型による成型時における型抜き方向に沿い、かつ型抜き可能に形成されていることを特徴とする鍵盤装置のアクション機構。
【請求項１０】
請求項６〜請求項９のいずれかに記載の鍵盤装置のアクション機構において、前記ハンマー屈曲部は、前記鍵の配列方向の長さが、前記ハンマー本体部における前記鍵の配列方向の長さよりも長く形成されていることを特徴とする鍵盤装置のアクション機構。
【請求項１１】
請求項１〜請求項１０のいずれかに記載された鍵盤装置のアクション機構を備えていることを特徴とする鍵盤楽器。
【発明の詳細な説明】
【技術分野】
【０００１】
この発明は、ピアノなどの鍵盤楽器に用いられる鍵盤装置のアクション機構およびそれを備えた鍵盤楽器に関する。
【背景技術】
【０００２】
例えば、ピアノなどの鍵盤装置においては、特許文献１に記載されているように、鍵の押鍵操作によって回転するウイペンと、このウイペンの回転動作に応じて駆動されるジャックと、このジャックによって駆動されて弦を打撃するハンマー部材とを備え、これらが複数の鍵それぞれに対応して設けられた構成のものが知られている。
【先行技術文献】
【特許文献】
【０００３】
【特許文献１】特開２００２−２５８８３５号公報
【０００４】
このような鍵盤装置のアクション機構は、複数の鍵の配列方向にその全長に亘って梁渡されたウイペンレールとハンマーレールとを備えている。ウイペンレールには、複数のウイペン保持部が複数の鍵それぞれに対応して取り付けられており、これらウイペン保持部には、複数のウイペンがそれぞれピンによって回転可能に取り付けられている。
【０００５】
また、ハンマーレールには、複数のハンマー保持部が複数のウイペンそれぞれに対応して取り付けられており、これらハンマー保持部には、複数のハンマー部材の各シャンクがそれぞれピンによって回転可能に取り付けられている。
【発明の概要】
【発明が解決しようとする課題】
【０００６】
この鍵盤装置のアクション機構では、ウイペンをピンによってウイペン保持部に個別に取り付けなければならないため、複数のウイペンをウイペンレールに取り付ける際に、複数のウイペンの取付手順に応じて複数のウイペン保持部を順番にウイペンレールに個別に取り付ける必要がある。このため、部品点数が多く、組立て作業が煩雑で面倒であり、生産性が悪く、低コスト化を図ることができないという問題がある。
【０００７】
また、このような鍵盤装置のアクション機構では、ハンマー部材をピンによってハンマー保持部に個別に取り付けなければならないため、複数のハンマー部材をハンマーレールに取り付ける際に、複数のハンマー部材の取付手順に応じて複数のハンマー保持部を順番にハンマーレールに個別に取り付ける必要がある。このため、部品点数が多く、組立て作業が煩雑で面倒であり、生産性が悪く、低コスト化を図ることができないという問題がある。
【０００８】
この発明が解決しようとする課題は、部品点数が少なく、組立て作業性および生産性の向上を図り、低コスト化を図ることができる鍵盤装置のアクション機構およびそれを備えた鍵盤楽器を提供することである。
【課題を解決するための手段】
【０００９】
この発明は、複数の鍵と、前記複数の鍵それぞれに対応して設けられ、当該複数の鍵それぞれの押鍵操作に応じて変位する伝達本体部を含む複数の伝達部材と、前記複数の鍵それぞれに対応して設けられ、前記押鍵操作された鍵に対応する前記伝達部材の変位に応じて回転動作することにより、前記押鍵操作されている鍵に対してアクション荷重を付与する複数のハンマー部材と、を備え、前記複数の伝達部材それぞれは、前記伝達本体部の端部に設けられて上下方向に屈曲する伝達屈曲部と、この伝達屈曲部が連結された伝達連結保持部とを有し、前記伝達本体部、前記伝達屈曲部および前記伝達連結保持部が一体に形成されていることを特徴とする鍵盤装置のアクション機構である。
【００１０】
また、この発明は、複数の鍵と、前記複数の鍵それぞれに対応して設けられ、当該複数の鍵それぞれの押鍵操作に応じて変位する伝達本体部を含む複数の伝達部材と、前記複数の鍵それぞれに対応して設けられ、前記押鍵操作された鍵に対応する前記伝達部材の変位に応じて回転動作することにより、前記押鍵操作されている鍵に対してアクション荷重を付与するハンマー本体部を含む複数のハンマー部材と、を備え、前記複数の伝達部材それぞれは、前記伝達本体部の端部に設けられて上下方向に屈曲する伝達屈曲部と、この伝達屈曲部が連結された伝達連結保持部とを有し、前記伝達本体部、前記伝達屈曲部および前記伝達連結保持部が一体に形成されているとともに、前記複数のハンマー部材それぞれは、前記ハンマー本体部の端部に設けられて上下方向に屈曲するハンマー屈曲部と、このハンマー屈曲部が連結されたハンマー連結保持部とを有し、前記ハンマー本体部、前記ハンマー屈曲部および前記ハンマー連結保持部が一体に形成されていることを特徴とする鍵盤装置のアクション機構である。
【発明の効果】
【００１１】
この発明によれば、伝達部材を設置する際に、伝達本体部、伝達屈曲部、および伝達連結保持部を個別に製作して組み付ける必要がなく、伝達連結保持部を設置するだけ、伝達部材を一度に設置することができると共に、伝達屈曲部を中心に伝達本体部を回転動作可能に取り付けることができる。このため、部品点数が少なく、組立て作業が容易にできるので、生産性が良く、低コスト化を図ることができる。
【００１２】
また、この発明によれば、ハンマー部材を設置する際に、ハンマー本体部、ハンマー屈曲部、およびハンマー連結保持部を個別に製作して組み付ける必要がなく、ハンマー連結保持部を設置するだけ、ハンマー部材を一度に設置することができると共に、ハンマー屈曲部を中心にハンマー本体部を回転動作可能に取り付けることができる。このため、部品点数が少なく、組立て作業が容易にできるので、生産性が良く、低コスト化を図ることができる。
【図面の簡単な説明】
【００１３】
【図１】この発明を電子鍵盤楽器に適用した一実施形態における鍵盤装置を示した側断面図である。
【図２】図１に示された鍵盤装置の伝達部材を示した拡大側断面図である。
【図３】図２に示された伝達部材の伝達本体部が複数の鍵それぞれに対応して配列された状態で、伝達屈曲部を介してそれぞれ１つの伝達連結保持部に一体に形成された状態を示した拡大平面図である。
【図４】図１に示されたハンマー部材を示した拡大側断面図である。
【図５】図４に示されたハンマー部材のハンマー本体部が複数の鍵それぞれに対応して配列された状態で、ハンマー屈曲部を介してそれぞれ１つのハンマー連結保持部に一体に形成された状態を示した拡大平面図である。
【図６】図２に示された伝達部材を成型する第１成型用金型を示した拡大側断面図である。
【図７】図４に示されたハンマー部材を成型する第２成型用金型を示した拡大側断面図である。
【発明を実施するための形態】
【００１４】
以下、図１〜図７を参照して、この発明を電子鍵盤楽器に適用した一実施形態について説明する。
この電子鍵盤楽器は、図１に示すように、鍵盤装置１を備えている。この鍵盤装置１は、楽器ケース（図示せず）内に組み込まれるものである。この鍵盤装置１は、並列に配列された複数の鍵２と、これら複数の鍵２の押鍵操作に応じて各鍵２それぞれにアクション荷重を付与するアクション機構３と、を備えている。
【００１５】
複数の鍵２は、図１に示すように、白鍵２ａおよび黒鍵２ｂを有し、これら白鍵２ａおよび黒鍵２ｂが例えば８８個並列に配列されている。これら複数の鍵２は、その前後方向（図１では左右方向）におけるほぼ中間部がそれぞれバランスピン４ａ、４ｂによって上下方向に回転可能に支持され、この状態でベース板５上に並列に配列されている。
【００１６】
この場合、ベース板５上には、図１に示すように、複数の鍵２の各前端部（図１では右端部）の各下面がそれぞれ接離可能に当接するクッション材６ａ、６ｂが鍵２の配列方向に沿って設けられている。また、このベース板５上には、複数の鍵２の各後端部（図１では左端部）の各下面がそれぞれ接離可能に当接するクッション材７が鍵２の配列方向に沿って設けられている。さらに、このベース板５上には、複数の鍵２がその配列方向に横振れするのを防ぐためのガイドピン８ａ、８ｂがそれぞれ起立して設けられている。
【００１７】
アクション機構３は、図１に示すように、複数の鍵２の押鍵操作に応じてそれぞれ上下方向に変位する複数の伝達部材１０と、これら複数の伝達部材１０の各変位に応じてそれぞれ上下方向に回転して複数の鍵２それぞれにアクション荷重を付与する複数のハンマー部材１１と、を備えている。この場合、複数の鍵２は、複数の伝達部材１０の各重量と複数のハンマー部材１１の各重量とによって、バランスピン４ａ、４ｂを中心に反時計回りに回転し、各鍵２それぞれを初期位置に押し上げて、各鍵２に初期荷重が付与されるように構成されている。
【００１８】
また、このアクション機構３は、図１に示すように、複数の伝達部材１０が鍵２の配列方向に沿って配置される伝達支持レール１２と、複数のハンマー部材１１が鍵２の配列方向に沿って配置されるハンマー支持レール１３と、を備えている。これら伝達支持レール１２およびハンマー支持レール１３は、複数の支持部材１４に支持されて、複数の鍵２の上方に配置されている。
【００１９】
複数の支持部材１４は、図１に示すように、鍵２の配列方向の全長における予め定められた複数個所にそれぞれ位置した状態で、ベース板５上に起立して取り付けられている。この場合、複数の鍵２は全体で例えば８８個配列されている。これに応じて、複数の支持部材１４は、複数の鍵２の配列方向における両端部と、例えば２０個の鍵２ごとに位置する３箇所の各鍵２間と、の個所に配置されている。すなわち、この実施形態では、支持部材１４が鍵２の配列方向の全長における５箇所に配置されている。
【００２０】
この支持部材１４は、ＡＢＳ樹脂などの硬質の合成樹脂からなり、図１に示すように、ベース板５上に取り付けられる取付部１４ａと、この取付部１４ａ上に一体に形成されたブリッジ部１４ｂと、を有している。これにより、支持部材１４は、取付部１４ａがベース板５上に取り付けられることにより、ブリッジ部１４ｂが鍵２の上方に突出した状態で、複数の鍵２の後部間に配置されるように構成されている。
【００２１】
この場合、ブリッジ部１４ｂの後端下部、つまり取付部１４ａの後側上部（図１では左側上部）には、図１に示すように、伝達支持レール１２を支持する後側レール支持部１４ｃが設けられている。また、ブリッジ部１４ｂの前側上部（図１では右側上部）には、ハンマー支持レール１３を支持する前側レール支持部１４ｄが設けられている。さらに、ブリッジ部１４ｂの後側上部（図１では左側上部）には、ストッパレール支持部１４ｅが設けられており、ブリッジ部１４ｂの上部には、基板レール支持部１４ｆが設けられている。
【００２２】
伝達支持レール１２は、図１に示すように、断面が四角形の角筒状に形成され、複数の鍵２の配列方向の全長に亘る長さに形成されている。この伝達支持レール１２は、鍵２の配列方向における所定箇所が複数の支持部材１４の各後側レール支持部１４ｃ上に取り付けられるように構成されている。
【００２３】
この伝達支持レール１２上には、図１に示すように、複数の伝達部材１０および複数のストッパ支持部１５が鍵２の配列方向に沿って取り付けられている。この場合、複数のストッパ支持部１５は、金属板からなり、複数の支持部材１４に対応する伝達支持レール１２上の５箇所に、複数の伝達部材１０の後述する伝達連結部１８の上方に突出した状態で取り付けられている。
【００２４】
伝達部材１０は、図１〜図３に示すように、伝達本体部１６と、この伝達本体部１６の後端部（図２では左端部）に設けられて上下方向に屈曲する伝達屈曲部１７と、この伝達屈曲部１７が連結される伝達連結保持部１８と、を有している。この伝達部材１０は、伝達本体部１６、伝達屈曲部１７、および伝達連結保持部１８が、ＡＢＳ樹脂、ＰＳ（ポリスチレン）樹脂、ＰＯＭ（ポリアセタール）樹脂などの硬質の合成樹脂によって一体に形成されている。
【００２５】
伝達本体部１６は、図１〜図３に示すように、帯板状のベース部１６ａと、このベースの上下面に設けられた厚みの薄い縦板部１６ｂと、この縦板部１６ｂの両側面に設けられた補強用の複数のリブ部１６ｃと、を有している。これら複数のリブ部１６ｃそれぞれは、ベース部１６ａを境にして、後述する第１成型用金型４０の型抜き方向に沿って形成されている。すなわち、複数のリブ部１６ｃそれぞれは、図２に示すように、ベース部１６ａを境にして、その上下方向に沿って形成されている。
【００２６】
これにより、伝達本体部１６は、図１および図２に示すように、ベース部１６ａの厚み、縦板部１６ｂの形状、および複数のリブ部１６ｃの形成密度によって、伝達部材１０の重量を調整するように構成されている。この場合、伝達本体部１６は、その前端上部が後端上部よりも高く形成され、これにより上辺部が後部下がり（図２では左下がり）に傾斜するように形成されている。また、この伝達本体部１６は、ベース部１６ａの下部側が鍵２の上面に向けて逆台形状に突出して形成されている。
【００２７】
この伝達本体部１６の下端部には、図１および図２に示すように、鍵２の後側上部に設けられたキャプスタン２１が下側から当接する伝達フェルト２０が設けられている。これにより、伝達部材１０は、鍵２が押鍵された際に、鍵２のキャプスタン２１が伝達フェルト２０に下側から当接することにより、鍵２のキャプスタン２１によって押し上げられて、伝達屈曲部１７を中心に反時計回りに回転するように構成されている。
【００２８】
伝達屈曲部１７は、図１〜図３に示すように、伝達本体部１６を伝達連結保持部１８に連結するものであり、その前端部（図２では右端部）が伝達本体部１６のベース部１６ａの後端部に連結され、伝達屈曲部１７の後端部（図２では左端部）が伝達連結保持部１８の前端部に連結されている。この伝達屈曲部１７は、その上下方向の肉厚が伝達本体部１６のベース部１６ａの厚みよりも薄く形成され、これにより上下方向に屈曲するように構成されている。
【００２９】
また、この伝達屈曲部１７は、図３に示すように、鍵２の配列方向の長さ（横幅）が、伝達本体部１６のベース部１６ａにおける鍵２の配列方向の長さとほぼ同じ長さで形成されている。この場合、伝達屈曲部１７は、鍵２の配列方向の長さ（横幅）が、伝達本体部１６のベース部１６ａにおける鍵２の配列方向の長さよりも短い幅狭に形成されていても良いが、鍵２の配列方向の長さ（横幅）が、伝達本体部１６のベース部１６ａにおける鍵２の配列方向の長さよりも長い幅広に形成されていることが望ましい。
【００３０】
さらに、この伝達屈曲部１７は、図１〜図３に示すように、その前後方向（図２では左右方向）の長さが、伝達連結保持部１８の前後方向の長さ（横幅）とほぼ同じ長さで形成されている。この場合、伝達屈曲部１７は、その前後方向の長さが、伝達連結保持部１８の前後方向の長さよりも多少短く形成されていても良く、またそれよりも多少長く形成されていても良い。これにより、伝達屈曲部１７は、伝達本体部１６が鍵２のキャプスタン２１によって押し上げられた際に、上方に向けて撓み（たわみ）変形することにより、伝達本体部１６を反時計回りに回転させるように構成されている。
【００３１】
伝達連結保持部１８は、図１〜図３に示すように、伝達屈曲部１７を介して伝達本体部１６を伝達支持レール１２上に保持するためのものであり、例えば１０個程度の各鍵２に対した状態で鍵２の配列方向に沿って長く形成されている。この伝達連結保持部１８は、その断面形状が四角形の角棒状に形成されている。
【００３２】
すなわち、この伝達連結保持部１８は、図１〜図３に示すように、その前後方向（図２では左右方向）の長さが、伝達屈曲部１７の前後方向の長さとほぼ同じ長さに形成されている。また、この伝達連結保持部１８は、その上下方向の高さが、伝達本体部１６の下端部を伝達支持レール１２の上面から上方に離す程度の高さ、例えば伝達屈曲部１７の前後方向の長さとほぼ同じ程度の高さに形成されている。
【００３３】
この伝達連結保持部１８は、図１〜図３に示すように、その前端上部に伝達屈曲部１７の後端部が連結形成されている。これにより、伝達連結保持部１８は、伝達本体部１６の下端部が伝達支持レール１２の上面に接触しないように、伝達本体部１６を伝達支持レール１２の上方に保持するように構成されている。この場合、伝達連結保持部１８には、ビス止め用の複数の取付孔１８ａおよび成型時のヒケを防ぐための複数の凹部１８ｂが設けられている。
【００３４】
また、この伝達連結保持部１８には、図３に示すように、例えば１０個程度の各鍵２に対する複数の伝達本体部１６が鍵２の配列方向に沿って配列された状態で、これら複数の伝達本体部１６それぞれが各伝達屈曲部１７を介して一体に連結形成されている。これにより、複数の伝達部材１０は、複数の伝達本体部１６が１つの伝達連結保持部１８に各伝達屈曲部１７を介して一体に形成された構成になっている。
【００３５】
このような複数の伝達部材１０は、図１に示すように、伝達本体部１６それぞれの下端部に設けられた伝達フェルト２０が複数の鍵２それぞれのキャプスタン２１上に対応して配置された状態で、１つの伝達連結保持部１８が伝達支持レール１２の後端部上に配置されてビス止めされることにより、一度に設置されるように構成されている。
【００３６】
これにより、複数の伝達部材１０は、図１に示すように、これらが対応する複数の鍵２それぞれが押鍵操作され、その押鍵操作された鍵２のキャプスタン２１によって伝達本体部１６が押し上げられる際に、その伝達本体部１６の後端部に設けられた伝達屈曲部１７が上方に向けて撓み変形することにより、この伝達屈曲部１７を中心に伝達本体部１６が反時計回りに回転するように構成されている。
【００３７】
一方、ハンマー支持レール１３は、図１に示すように、伝達支持レール１２と同様、断面が四角形状の角筒状に形成され、複数の鍵２の配列方向の全長に亘る長さに形成されている。このハンマー支持レール１３は、鍵２の配列方向における所定箇所が複数の支持部材１４の各前側レール支持部１４ｄ上に取り付けられるように構成されている。このハンマー支持レール１３上には、複数のハンマー部材１１が鍵２の配列方向に沿って取り付けられている。
【００３８】
ハンマー部材１１は、図１、図４および図５に示すように、ハンマー本体部２２と、このハンマー本体部２２の前端部（図４では右端部）に設けられて上下方向に屈曲するハンマー屈曲部２３と、このハンマー屈曲部２３が連結されるハンマー連結保持部２４と、を有している。このハンマー部材１１は、ハンマー本体部２２、ハンマー屈曲部２３、およびハンマー連結保持部２４が、ＡＢＳ樹脂、ＰＳ（ポリスチレン）樹脂、ＰＯＭ（ポリアセタール）樹脂などの硬質の合成樹脂によって一体に形成されている。
【００３９】
ハンマー本体部２２は、図１、図４および図５に示すように、ハンマー部２５とハンマーアーム２６とを有し、これらが一体に形成された構成になっている。ハンマー部２５は、山形形状の縦板部２５ａを有し、その下端部を除いて、外周部および両側面に補強用の複数のリブ部２５ｂが形成された構成になっている。
【００４０】
この場合、複数のリブ部２５ｂそれぞれは、図１および図４に示すように、後述する第２成型用金型４５の型抜き方向に沿い、かつ型抜き可能に形成されている。すなわち、複数のリブ部２５ｂのうち、縦板部２５ａの両側面に設けられたリブ部２５ｂは、図４において上下方向に沿って形成されている。また、縦板部２５ａの外周部に設けられたリブ部２５ｂは、上下方向に型抜きが可能な状態で形成されている。このハンマー部２５は、山形形状の縦板部２５ａの形状および複数のリブ部２５ｂの形成密度によって、ハンマー部材１１の重量が調整されるように構成されている。
【００４１】
ハンマーアーム２６は、図１、図４および図５に示すように、ハンマー部２５の前端下部に連結形成されて、鍵２の前端部側に向けて突出して形成されている。このハンマーアーム２６は、その前後方向の長さが伝達部材１０とほぼ同じ長さの縦板部２６ａを有し、その上辺部および両側面に補強用の複数のリブ部２６ｂが形成された構成になっている。
【００４２】
これら複数のリブ部２６ｂは、図４に示すように、ハンマー部２５の複数のリブ部２５ｂと同様、後述する第２成型用金型４５の型抜き方向に沿い、かつ型抜き可能に形成されている。すなわち、複数のリブ部２６ｂのうち、縦板部２６ａの両側面に設けられたリブ部２６ｂは、図４において上下方向に沿って形成されている。また、縦板部２６ａの外周部に設けられたリブ部２６ｂは、上下方向に型抜きが可能な状態で形成されている。
【００４３】
この場合、複数のリブ部２６ｂは、図４および図５に示すように、鍵２の配列方向に突出する長さが、ハンマー部２５の複数のリブ部２５ｂにおける鍵２の配列方向に突出する長さよりも少し短い長さで形成されている。また、このハンマーアーム２６の前端上部には、図１、図４および図５に示すように、スイッチ押圧部２７が形成されている。
【００４４】
さらに、このハンマーアーム２６の前端下部には、図１および図４に示すように、伝達部材１０の伝達本体部１６の前端上部に上方から当接するハンマー突起部２８が設けられている。これにより、ハンマー部材１１は、伝達部材１０の伝達本体部１６が伝達屈曲部１７を中心に反時計回りに回転すると、その回転に応じてハンマー突起部２８が押し上げられることにより、ハンマー屈曲部２３を中心に時計回りに回転するように構成されている。
【００４５】
ハンマー屈曲部２３は、図１、図４および図５に示すように、ハンマー本体部２２をハンマー連結保持部２４に連結するものであり、その後端部（図４では左端部）がハンマー本体部２２のハンマーアーム２６の後端部に連結され、ハンマー屈曲部２３の前端部（図４では右端部）がハンマー連結保持部２３の後端部に連結されている。
【００４６】
このハンマー屈曲部２３は、図１および図４に示すように、その上下方向の肉厚が伝達屈曲部１７と同様、ハンマーアーム２６やハンマー連結保持部２３などよりも薄く（例えば、伝達屈曲部１７とほぼ同じ厚みで）形成され、これにより上下方向に屈曲するように構成されている。この場合、ハンマー屈曲部２３は、ハンマーアーム２６の後端部における中間部、つまりハンマーアーム２６の上辺部に位置するリブ２６ｂの下面の下側に対応する個所に形成されている。
【００４７】
また、このハンマー屈曲部２３は、図５に示すように、鍵２の配列方向の長さ（横幅）が、ハンマーアーム２６の複数のリブ部２６ｂにおける鍵２の配列方向に突出する長さよりも少し長く、かつハンマー部２５の複数のリブ部２５ｂにおける鍵２の配列方向に突出する長さとほぼ同じ長さで形成されている。
【００４８】
この場合、ハンマー屈曲部２３は、鍵２の配列方向の長さ（横幅）が、ハンマーアーム２６の複数のリブ部２６ｂにおける鍵２の配列方向に突出する長さと同じで、かつハンマー部２５の複数のリブ部２５ｂにおける鍵２の配列方向に突出する長さよりも短い幅狭に形成されていても良いが、鍵２の配列方向の長さ（横幅）が、ハンマー部２５の複数のリブ部２５ｂにおける鍵２の配列方向に突出する長さよりも長い幅広に形成されていることが望ましい。
【００４９】
さらに、このハンマー屈曲部２３は、図１、図４および図５に示すように、その前後方向（図４では左右方向）の長さが、例えばハンマーアーム２６の複数のリブ部２６ｂ間の長さ、つまりハンマー突起部２８が位置するリブ部２６ｂ間の長さとほぼ同じ長さで形成されている。この場合、ハンマー屈曲部２３は、その前後方向の長さが、ハンマーアーム２６の複数のリブ部２６ｂ間の長さよりも多少短く形成されていても良く、またそれよりも多少長く形成されていても良い。
【００５０】
これにより、ハンマー屈曲部２３は、図１に示すように、伝達部材１０の伝達本体部１６が伝達屈曲部１７を中心に反時計回りに回転し、その伝達本体部１６の回転に応じてハンマー突起部２８が押し上げられた際に、上方に向けて撓み変形することにより、ハンマー本体部２２を時計回りに回転させるように構成されている。
【００５１】
ハンマー連結保持部２４は、図１、図４および図５に示すように、ハンマー屈曲部２３を介してハンマー本体部２２をハンマー支持レール１３上に保持するためのものであり、伝達連結保持部１８と同様、例えば１０個程度の各鍵２に対した状態で鍵２の配列方向に沿って長く形成されている。このハンマー連結保持部２４は、上側が開放された細長いほぼ箱形状に形成されている。
【００５２】
この場合、ハンマー連結保持部２４は、図４および図５に示すように、その前後方向（図４では左右方向）の長さが、ハンマー屈曲部２３の前後方向の長さよりも長く、ハンマー支持レール１３の前後方向の長さよりも短い長さで形成されている。また、このハンマー連結保持部２３は、その上下方向の高さが、ハンマーアーム２６の上下方向の長さとほぼ同じ高さに形成されている。
【００５３】
また、このハンマー連結保持部２４の後端下面には、図１および図４に示すように、位置決め突起２４ａが設けられている。この位置決め突起２４ａは、ハンマー支持レール１３の上面に設けられた位置決め孔１３ａに挿入することにより、ハンマー連結保持部２４をハンマー支持レール１３上に位置決めするように構成されている。さらに、このハンマー連結保持部２４には、図５に示すように、これをハンマー支持レール１３上にビス止めするための複数の取付孔２４ｂが設けられている。
【００５４】
また、このハンマー連結保持部２４は、図４および図５に示すように、その前端部における上下方向のほぼ中間部にハンマー屈曲部２３の後端部が連結されている。これにより、ハンマー連結保持部２４は、図１に示すように、その後端部がハンマー支持レール１３の後方に突出した状態で、位置決め突起２４ａによってハンマー支持レール１３の上面に位置決めされ、この状態でハンマー支持レール１３上にビス止めされるように構成されている。
【００５５】
また、このハンマー連結保持部２３には、図５に示すように、伝達部材１０と同様、例えば１０個程度の各鍵２に対する複数のハンマー本体部２２が鍵２の配列方向に沿って配列された状態で、これら複数のハンマー本体部２２が各ハンマー屈曲部２３を介してそれぞれ一体に連結形成されている。これにより、複数のハンマー部材１１は、複数のハンマー本体部２２が１つのハンマー連結保持部２４に各ハンマー屈曲部２３を介して一体に形成された構成になっている。
【００５６】
このような複数のハンマー部材１１は、図１に示すように、ハンマー本体部２２のハンマーアーム２６それぞれの下端部に設けられたハンマー突起部２８が複数の伝達部材１０の伝達本体部１６それぞれの前端上部に対応して配置された状態で、１つのハンマー連結保持部２４がハンマー支持レール１３上に配置されてビス止めされることにより、一度に設置されるように構成されている。
【００５７】
これにより、複数のハンマー部材１１は、図１に示すように、これらが対応する複数の鍵２それぞれが押鍵操作され、その押鍵操作された鍵２に対応する伝達部材１０の伝達本体部１６が上方に変位し、この変位した伝達本体部１６によってハンマーアーム２６のハンマー突起部２８が押し上げられる際に、そのハンマーアーム２６の前端部に設けられたハンマー屈曲部２３が上方に向けて撓み変形することにより、このハンマー屈曲部２３を中心にハンマー本体部２２が時計回りに回転するように構成されている。
【００５８】
また、このハンマーアーム２６は、図１に示すように、その後端下部が下限ストッパ３０に上方から当接することにより、初期位置である下限位置に規制されるように構成されている。すなわち、この下限ストッパ３０は、伝達支持レール１２上に設けられた複数のストッパ支持部１５に支持された下限ストッパレール３１上に取り付けられている。これにより、ハンマー部材１０は、ハンマーアーム２６の後端下部が下限ストッパ３０に上方から当接することにより、後部下がりに傾斜した状態で、初期位置に位置規制されるように構成されている。
【００５９】
また、このハンマーアーム２６は、図１に示すように、その後端上部が上限ストッパ３２に下方から当接することにより、上限位置が規制されるように構成されている。すなわち、この上限ストッパ３２は、複数の支持部材１４の各ストッパレール支持部１４ｅに取り付けられた上限ストッパレール３３の下面に取り付けられている。
【００６０】
これにより、ハンマー部材１１は、図１に示すように、ハンマー本体部２２のハンマーアーム２６がハンマー屈曲部２３を中心に時計回りに回転した際に、ハンマーアーム２６の後端上部が上限ストッパ３２に下方から当接することにより、上限位置が規制されるように構成されている。
【００６１】
さらに、ハンマーアーム２６の前端上部には、図１〜図３に示すように、スイッチ押圧部２７が形成されている。このハンマーアーム２６のスイッチ押圧部２７に対応する上方には、図１に示すように、スイッチ基板３５が一対の基板支持レール３６によって配置されている。これら一対の基板支持レール３６は、それぞれ断面がＬ字形状に形成された長板であり、鍵２の配列方向の全長に亘る長さに形成されている。
【００６２】
これら一対の基板支持レール３６は、図１に示すように、その各水平部が複数の支持部材１４の各基板レール支持部１４ｆ上に所定間隔離れた状態で取り付けられている。スイッチ基板３５は、鍵２の配列方向の全長において複数に分割された長さで形成されている。すなわち、この実施形態では、スイッチ基板３５が例えば４つに分割されて２０個程度の各鍵２に対応する長さで、一対の基板支持レール３６上に取り付けられている。
【００６３】
これらスイッチ基板３５の下面には、図１に示すように、ゴムスイッチ３７がそれぞれ設けられている。このゴムスイッチ３７は、鍵２の配列方向に長いゴムシートに逆ドーム状の膨出部３７ａが複数のハンマーアーム２６にそれぞれ対応して形成された構成になっている。この膨出部３７ａの内部には、スイッチ基板３５の下面に設けられた複数の固定接点（図示せず）に接離可能に接触する複数の可動接点３７ｂがハンマーアーム２６の前後方向に沿って設けられている。
【００６４】
これにより、ゴムスイッチ３７は、図１に示すように、ハンマー部材１１のハンマー本体部２２がハンマー屈曲部２３を中心に時計回りに回転して、ハンマーアーム２６のスイッチ押圧部２７が下側から当接して押圧された際に、逆ドーム状の膨出部３７ａが弾性変形して、複数の可動接点３７ｂが時間をもって順次、複数の固定接点に接触することにより、鍵２の押鍵強さに応じたスイッチ信号を出力するように構成されている。
【００６５】
次に、この鍵盤装置１の伝達部材１０およびハンマー部材１１をそれぞれ成型する場合について説明する。
まず、伝達部材１０を成型する場合には、図６に示すように、第１成型用金型４０によって複数の伝達部材１０を一度に成型する。すなわち、複数の伝達部材１０は、図２および図３に示すように、鍵２の配列方向において複数の鍵２に亘って形成された１つの伝達連結保持部１８に複数の伝達本体部１６がそれぞれ伝達屈曲部１７によって連結された構成になっている。
【００６６】
このため、第１成型用金型４０は、図６に示すように、第１上金型４１と第１下金型４２とを有し、この第１上金型４１と第１下金型４２とを重ね合わせることにより、これらの内部に複数の伝達部材１０の形状と同じ形状の第１空洞部（キャビティ）４３が形成されるように構成されている。すなわち、第１成型用金型４０内の第１空洞部４３は、鍵２の配列方向において複数の鍵２に亘って形成された１つの伝達連結保持部１８に複数の伝達本体部１６がそれぞれ伝達屈曲部１７によって連結された形状に形成されている。
【００６７】
この場合、第１上金型４１と第１下金型４２との境界線、つまり第１上金型４１と第１下金型４２との第１分割ライン（パーティングライン）４４は、図６に２点鎖線で示すように、例えば、伝達本体部１６のベース部１６ａにおける厚み方向の上辺部と伝達屈曲部１７の上辺部とに沿って連続する直線上に位置する個所に設けられている。
【００６８】
これにより、第１上金型４１の内部には、図６に示すように、第１分割ライン４４の上側に位置する複数の伝達本体部１６の各個所と、第１分割ライン４４の上側に位置する複数の伝達屈曲部１７の各上面と、第１分割ライン４４の上側に位置する伝達連結保持部１８の上面とのすべての個所に対応する形状の上側空洞部４３ａが下側に開放されて形成されている。
【００６９】
また、第１下金型４２の内部には、図６に示すように、第１分割ライン４４の下側に位置する複数の伝達本体部１６の各個所と、第１分割ライン４４の下側に位置する複数の伝達屈曲部１７の各個所と、第１分割ライン４４の下側に位置する伝達連結保持部１８の個所とのすべての個所に対応する形状の下側空洞部４３ｂが上側に開放されて形成されている。
【００７０】
このような第１成型用金型４０で複数の伝達部材１０を形成する場合には、まず、第１下金型４２上に第１上金型４１を重ね合わせる。すると、第１上金型４１内の上側空洞部４３ａと第１下金型４２内の下側空洞部４３ｂとによって、第１成型用金型４０の内部に第１空洞部４３が形成される。すなわち、この第１空洞部４３は、鍵２の配列方向において複数の鍵２に亘って形成された１つの伝達連結保持部１８に複数の伝達本体部１６がそれぞれ伝達屈曲部１７によって連結された形状になる。
【００７１】
この状態で、第１成型用金型４０の第１空洞部４３内に樹脂を注入して充填し、この充填された樹脂を固化させる。この後、第１成型用金型４０の第１上金型４１と第１下金型４２とを第１分割ライン４４で離型して、第１上金型４１内の上側空洞部４３ａ内と第１下金型４２内の下側空洞部４３ｂ内とから固化した樹脂を取り出す。これにより、１つの伝達連結保持部１８に複数の伝達本体部１６がそれぞれ伝達屈曲部１７によって連結された状態の複数の伝達部材１０が一度に製作される。
【００７２】
一方、ハンマー部材１１を成型する場合には、図７に示すように、第２成型用金型４５によって複数のハンマー部材１１を一度に成型する。すなわち、複数のハンマー部材１１は、図４および図５に示すように、鍵２の配列方向において複数の鍵２に亘って形成された１つのハンマー連結保持部２４に複数のハンマー本体部２２がそれぞれハンマー屈曲部２３によって連結された構成になっている。
【００７３】
このため、第２成型用金型４５は、図７に示すように、第２上金型４６と第２下金型４７とを有し、この第２上金型４６と第２下金型４７とを重ね合わせることにより、これらの内部に複数のハンマー部材１１の形状と同じ形状の第２空洞部（キャビティ）４８が形成されるように構成されている。すなわち、第２成型用金型４５内の第２空洞部４８は、鍵２の配列方向において複数の鍵２に亘って形成された１つのハンマー連結保持部２４に複数のハンマー本体部２２がそれぞれハンマー屈曲部２３によって連結された形状に形成されている。
【００７４】
この場合、第２上金型４６と第２下金型４７との境界線、つまり第２上金型４６と第２下金型４７との第２分割ライン（パーティングライン）４９は、図７に２点鎖線で示すように、ハンマー本体部２２のハンマー部２５の外周部に位置するリブ部２５ｂの内面と、ハンマーアーム２６の上辺部に位置するリブ部２６ｂの下面と、ハンマー屈曲部２３の上面と、ハンマー連結保持部２４の内面とに沿って、段差状に連続する折曲線上に位置する個所に設けられている。
【００７５】
これにより、第２上金型４６の内部には、図７に示すように、第２分割ライン４９の上側に位置する複数のハンマー本体部２２の各個所、つまり第２分割ライン４９の上側に位置する複数のハンマー部２５の各個所および第２分割ライン４９の上側に位置する複数のハンマーアーム２６における各上辺部のリブ部２６ｂの各個所と、第２分割ライン４９の上側に位置する複数のハンマー屈曲部２３の各上面と、第２分割ライン４９の上側に位置するハンマー連結保持部２４の個所とのすべての個所に対応する形状の上側空洞部４８ａが下側に開放されて形成されている。
【００７６】
また、第２下金型４７の内部には、図７に示すように、第２分割ライン４９の下側に位置する複数のハンマー本体部２２の各個所、つまり第２分割ライン４９の下側に位置する複数のハンマー部２５の各個所および第２分割ライン４９の下側に位置する複数のハンマーアーム２６の各個所と、第２分割ライン４９の下側に位置する複数のハンマー屈曲部２３の各個所と、第２分割ライン４９の下側に位置するハンマー連結保持部２４の個所とのすべての個所に対応する形状の下側空洞部４８ｂが上側に開放されて形成されている。
【００７７】
このような第２成型用金型４５で複数のハンマー部材１１を形成する場合には、まず、第２下金型４７上に第２上金型４６を重ね合わせる。すると、第２上金型４６内の上側空洞部４８ａと第２下金型４７内の下側空洞部４８ｂとによって、第２成型用金型４５の内部に第２空洞部４８が形成される。すなわち、この第２空洞部４８は、鍵２の配列方向において複数の鍵２に亘って形成された１つのハンマー連結保持部２４に複数のハンマー本体部２２がそれぞれハンマー屈曲部２３によって連結された形状になる。
【００７８】
この状態で、第２成型用金型４５の第２空洞部４８内に樹脂を注入して充填し、この充填された樹脂を固化させる。この後、第２成型用金型４５の第２上金型４６と第２下金型４７とを第２分割ライン４９で離型して、第２上金型４６内の上側空洞部４８ａ内と第２下金型４７内の下側空洞部４８ｂ内とから固化した樹脂を取り出す。これにより、１つのハンマー連結保持部２４に複数のハンマー本体部２２がそれぞれハンマー屈曲部２３によって連結された状態の複数のハンマー部材１１が一度に製作される。
【００７９】
次に、このような電子鍵盤楽器の鍵盤装置１を組み立てる場合について説明する。
まず、図１に示すように、ベース板５上に複数の鍵２および複数の支持部材１４を設置する。この場合には、８８個の鍵２をベース板５上にバランスピン４ａ、４ｂによってそれぞれ上下方向に回転可能に取り付けた状態で並列に配列させる。また、支持部材１４をベース板５上における鍵２の配列方向における両端部に位置する箇所と、２０個の鍵２ごとに位置する３箇所の各鍵２間の箇所とに取り付ける。
【００８０】
この状態で、図１に示すように、複数の支持部材１４の各後側レール支持部１４ｃ上に伝達支持レール１２を取り付けて鍵２の配列方向の全長に亘って配置すると共に、この伝達支持レール１２上に複数の伝達部材１０および複数のストッパ支持部１５を鍵２の配列方向に沿って取り付ける。
【００８１】
すなわち、複数の伝達部材１０の各伝達本体部１６の下端部にそれぞれ設けられた各伝達フェルト２０を複数の鍵２それぞれに設けられたキャプスタン２１に対応させた状態で、複数の伝達部材１０に共通の１つの伝達連結保持部１８を伝達支持レール１２の後端部上に配置してビス止めによって取り付ける。これにより、複数の伝達部材１０が鍵２の配列方向に沿って配列された状態で、一度に設置される。
【００８２】
この場合、複数の伝達部材１０は、図３に示すように、鍵２の配列方向において複数の鍵２に亘って形成された１つの伝達連結保持部１８に複数の伝達本体部１６が複数の伝達屈曲部１７によってそれぞれ連結されて鍵２の配列方向に沿って配列されているので、伝達連結保持部１８を伝達支持レール１２上に取り付けることにより、複数の伝達部材１０、例えば１０個の鍵２に対応する伝達部材１０が複数の鍵２の上方にそれぞれ対応した状態で一度に設置される。
【００８３】
この状態では、図１に示すように、複数の伝達部材１０の各伝達本体部１６の下端部が伝達支持レール１２に接触することがなく、複数の伝達本体部１８の各伝達フェルト２０が鍵２のキャプスタン２１上に当接し、この状態で各伝達本体部１６の後端部が各伝達屈曲部１７によって弾力的に保持されて配置される。これにより、複数の伝達部材１０は各伝達屈曲部１７によって上下方向に変位可能な状態で初期位置に規制される。
【００８４】
この後、図１に示すように、伝達支持レール１２上に設けられた複数のストッパ支持部１５に下限ストッパレール３１を取り付け、この下限ストッパレール３１上に下限ストッパ３０を取り付ける。そして、複数の支持部材１４の各前側レール支持部１４ｄ上にハンマー支持レール１３を取り付けて鍵２の配列方向の全長に亘って配置し、このハンマー支持レール１３上に複数のハンマー部材１１を鍵２の配列方向に沿って取り付ける。
【００８５】
このときには、図１に示すように、複数のハンマー部材１１の各ハンマーアーム２６に設けられたハンマー突起部２８を複数の伝達部材１０の各伝達本体部１６の前端上部に対応させた状態で、複数のハンマー部材１１に共通の１つのハンマー連結保持部２４をハンマー支持レール１３の後端部上に配置してビス止めによって取り付ける。これにより、複数のハンマー部材１１が鍵２の配列方向に沿って配列された状態で、一度に設置される。
【００８６】
この場合、複数のハンマー部材１１は、図５に示すように、鍵２の配列方向において複数の鍵２に亘って形成された１つのハンマー連結保持部２４に複数のハンマー本体部２２が複数のハンマー屈曲部２３によってそれぞれ連結されて鍵２の配列方向に沿って配列されているので、ハンマー連結保持部２４をハンマー支持レール１３上に取り付けることにより、複数のハンマー部材１１、例えば１０個の鍵２に対応するハンマー部材１１が複数の伝達部材１０の上方にそれぞれ対応した状態で一度に設置される。
【００８７】
この状態では、図１に示すように、複数のハンマー部材１１の各ハンマーアーム２６それぞれの各ハンマー突起部２８が複数の伝達部材１０の各伝達本体部１６それぞれの前端上部に当接すると共に、各ハンマーアーム２６それぞれの後端部が下限ストッパレール３１上の下限ストッパ３０に当接する。
【００８８】
この状態では、図１に示すように、各ハンマー本体部２２それぞれの後端部が各ハンマー屈曲部２３によって弾力的に保持されて配置される。これにより、複数のハンマー部材１１は、各ハンマー本体部２２それぞれが後部下りに傾斜した状態で、各ハンマー屈曲部２３によって上下方向に変位可能な状態で初期位置に位置規制される。
【００８９】
この後、図１に示すように、複数の支持部材１４の各ストッパレール支持部１４ｅに上限ストッパレール３３を取り付け、この上限ストッパレール３３の下面に上限ストッパ３２を取り付ける。また、複数の支持部材１４の各基板レール支持部１４ｆ上に所定間隔離して一対の基板支持レール３６を取り付け、これら一対の基板支持レール３６上に複数のスイッチ基板３５を鍵２の配列方向に沿って取り付ける。
【００９０】
この場合には、予め、スイッチ基板３５の下面にゴムスイッチ３７を取り付ける。そして、このスイッチ基板３５を一対の基板支持レール３３上に取り付ける。このときには、図１に示すように、ゴムスイッチ３７の各膨出部３７ａを複数のハンマーアーム２６の各スイッチ押圧部２７にそれぞれ対応させる。この状態で、スイッチ基板３５を一対の基板支持レール３３上に取り付ける。これにより、鍵盤装置１が組み立てられる。
【００９１】
次に、このような電子鍵盤楽器の鍵盤装置１の作用について説明する。
この鍵盤装置１では、鍵２を押鍵操作して演奏することができる。このときには、鍵２が押鍵されると、鍵２がバランスピン４ａ、４ｂを中心に図１において時計回りに回転し、鍵２のキャプスタン２１が伝達部材１０の伝達本体部１６を押し上げる。これにより、伝達本体部１６が伝達連結保持部１８に連結された伝達屈曲部１７を上方に撓み変形させ、この伝達屈曲部１７の撓み変形によって伝達本体部１６が上方に押し上げられる。
【００９２】
このように、伝達部材１０の伝達本体部１６が鍵２のキャプスタン２９によって押し上げられて伝達屈曲部１７を中心に図１において反時計回りに回転すると、この伝達本体部１６の前端上部によってハンマー部材１１のハンマー突起部３１が押上げられる。これにより、ハンマー部材１１のハンマー本体部２２がハンマー連結保持部２４に連結されたハンマー屈曲部１３を中心に図１において時計回りに回転して、鍵２にアクション荷重を付与する。
【００９３】
このときには、伝達部材１０と同様、ハンマー部材１１のハンマー本体部２２がハンマー連結保持部２４に連結されたハンマー屈曲部２３を上方に撓み変形させ、このハンマー屈曲部２３の撓み変形によってハンマー本体部２２が上方に押し上げられる。これにより、ハンマー本体部２２ハンマー突起部２８が伝達部材１０の伝達本体部１６によって押し上げられてハンマー屈曲部２３を中心に図１において時計回りに回転する。
【００９４】
このようにハンマー本体部２２がハンマー屈曲部２３を中心に時計回りに回転する際には、ハンマー本体部２２の慣性モーメントによって鍵２にアクション荷重が付与される。すなわち、ハンマー本体部２２のハンマーアーム２６は、鍵２の前後方向の長さが伝達部材１０とほぼ同じ長さに形成され、このハンマーハンマーアーム２６の後端部にハンマー部２５が形成され、この状態でハンマーアーム２６の前端部がハンマー屈曲部２３に連結されている。
【００９５】
このため、ハンマー部材１１のハンマー本体部２２がハンマー屈曲部２３を中心に図１において時計回りに回転する際には、ハンマー本体部２２に慣性モーメントが発生し、この慣性モーメントによって鍵２にアクション荷重が付与される。これにより、アコースティックピアノの鍵タッチ感に極めて近似した鍵タッチ感が得られる。
【００９６】
このようにハンマー部材１１がハンマー屈曲部２３を中心に時計回りに回転すると、ハンマーアーム２６のスイッチ押圧部２７がスイッチ基板３５に設けられたゴムスイッチ３７の逆ドーム状の膨出部３７ａを下側から押圧する。これにより、逆ドーム状の膨出部３７ａが弾性変形して、膨出部３７ａ内の複数の可動接点３７ｂが時間をもって順次、複数の固定接点に接触することにより、鍵２の押鍵強さに応じたスイッチ信号を出力し、スピーカ（図示せず）から楽音を発生する。
【００９７】
そして、ハンマー部材１１のハンマー本体部２２がハンマー屈曲部２３を中心に更に時計回りに回転すると、ハンマーアーム２６の後端上部が上限ストッパ３２に下側から当接して、ハンマー本体部２２の回転が規制される。この後、鍵２が初期位置に戻る離鍵動作を開始すると、伝達部材１０の伝達本体部１６が図１において時計回りに回転して初期位置に戻ると共に、ハンマー部材１１のハンマー本体部２２が図１において反時計回りに回転して初期位置に戻る。これに伴って、鍵２が初期位置に戻る。
【００９８】
このように、この電子鍵盤楽器の鍵盤装置１によれば、並列に配列された複数の鍵２それぞれに対応して設けられ、複数の鍵２それぞれの押鍵操作に応じて変位する複数の伝達部材１０と、複数の鍵２それぞれに対応して設けられ、伝達部材１０の変位に応じて回転動作して鍵２にアクション荷重を付与する複数のハンマー部材１１と、を備え、複数の伝達部材１０それぞれは、伝達本体部１６と、この伝達本体部１６の後端部に設けられて上下方向に屈曲する伝達屈曲部１７と、この伝達屈曲部１７が連結された伝達連結保持部１８とを有し、これらが一体に形成されていることにより、部品点数が少なく、組立て作業性および生産性の向上を図り、低コスト化を図ることができる。
【００９９】
すなわち、この電子鍵盤楽器の鍵盤装置１では、伝達部材１０を設置する際に、伝達本体部１６、伝達屈曲部１７、および伝達連結保持部１８を個別に製作して組み付ける必要がなく、伝達連結保持部１８を設置するだけ、伝達部材１０を一度に設置することができると共に、伝達屈曲部１７を中心に伝達本体部１６を回転動作可能に取り付けることができる。このため、部品点数が少なく、組立て作業が容易にできるので、生産性が良く、低コスト化を図ることができる。
【０１００】
この場合、複数の伝達部材１０は、伝達連結保持部１８が鍵２の配列方向において複数の鍵２に亘って形成され、この伝達連結保持部１８に複数の伝達本体部１６それぞれが複数の鍵２それぞれに対応して配列された状態で、伝達屈曲部１７それぞれを介して一体に形成されていることにより、鍵２の配列方向において複数の鍵２に亘って形成された１つの伝達連結保持部１８に複数の鍵２に対応する複数の伝達本体部１６を各伝達屈曲部１７によって一体に形成することができる。
【０１０１】
このため、鍵２の配列方向において複数の鍵２に亘って形成された１つの伝達連結保持部１８を設置するだけで、複数の伝達部材１０を一度に設置することができるので、部品点数を大幅に削減することができると共に、組み立て作業の簡素化を図ることができ、これにより、より一層、生産性を向上させることができると共に、更なる低コスト化を図ることができる。
【０１０２】
また、複数の伝達部材１０は、複数の鍵２それぞれに対応して配列された状態で、第１成型用金型４０によって一体に形成されていることにより、伝達本体部１６、伝達屈曲部１７、および伝達連結保持部１８を個別に製作して組み付ける必要がなく、複数の伝達本体部１６をそれぞれ伝達屈曲部１７によって１つの伝達連結保持部１８に連結させた状態で、第１成型用金型４０によって複数の伝達部材１０を一度に製作することができる。
【０１０３】
このため、複数の伝達部材１０は、複数の鍵２に対応する複数の伝達本体部１６をそれぞれ伝達屈曲部１７によって１つの伝達連結保持部１８に一体に形成した構成であっても、第１成型用金型４０によって複数の伝達部材１０を一度に製作することができるので、より一層、生産性の向上を図ることができると共に、更なる低コスト化を図ることができる。
【０１０４】
また、伝達本体部１６は、縦板部１６ａの両面に複数のリブ部１６ｂが設けられており、これら複数のリブ部１６ｂは、第１成型用金型４０による成型時における型抜き方向に沿って形成されていることにより、伝達本体部１６が縦板部１６ａの両面に複数のリブ部１６ｂを設けた構成であっても、第１成型用金型４０によって容易に製作することができるほか、第１成型用金型４０にスライドコアを用いる必要がないので、第１成型用金型４０の構造を簡素化でき、これにより第１成型用金型４０を容易に製作できるので、これによっても生産性および低コスト化を図ることができる。
【０１０５】
さらに、伝達屈曲部１７は、鍵２の配列方向の長さが、伝達本体部１６における鍵２の配列方向の厚みよりも長く形成されていることにより、伝達本体部１６の重量が重くても、伝達屈曲部１７の屈曲変形を最適な状態に設定することができる。すなわち、伝達本体部１６の重量が重い場合には、伝達屈曲部１７における鍵２の配列方向の長さを、伝達本体部１６における鍵２の配列方向の厚みと同じか、それよりも長い幅広に形成することにより、押鍵時における伝達屈曲部１７の屈曲変形を最適な状態に設定することができる。
【０１０６】
また、伝達本体部１６の重量が軽い場合には、伝達屈曲部１７における鍵２の配列方向の長さを、伝達本体部１６における鍵２の配列方向の厚みと同じか、それよりも短い幅狭に形成することにより、押鍵時における伝達屈曲部１７の屈曲変形を最適な状態に設定することができる。これにより、伝達本体部１６の重量に応じて伝達屈曲部１７の屈曲変形を最適な状態に設定することができるので、アコースティックピアノの鍵タッチ感に極めて近似した鍵タッチ感を得ることができる。
【０１０７】
また、この電子鍵盤楽器の鍵盤装置１では、並列に配列された複数の鍵２それぞれに対応して設けられ、複数の鍵２それぞれの押鍵操作に応じて変位する複数の伝達部材１０と、複数の鍵２それぞれに対応して設けられ、伝達部材１０の変位に応じて回転動作して鍵２に対してアクション荷重を付与する複数のハンマー部材１１と、を備え、複数のハンマー部材１１それぞれは、ハンマー本体部２２と、このハンマー本体部２２の前端部に設けられて上下方向に屈曲するハンマー屈曲部２３と、このハンマー屈曲部２３が連結されたハンマー連結保持部２４とを有し、これらが一体に形成されていることにより、部品点数が少なく、組立て作業性および生産性の向上を図り、低コスト化を図ることができる。
【０１０８】
すなわち、この電子鍵盤楽器の鍵盤装置１では、ハンマー部材１１を設置する際に、ハンマー本体部２２、ハンマー屈曲部２３、およびハンマー連結保持部２４を個別に製作して組み付ける必要がなく、ハンマー連結保持部２４を設置するだけ、ハンマー部材１１を一度に設置することができると共に、ハンマー屈曲部２３を中心にハンマー本体部２２を回転動作可能に取り付けることができる。このため、部品点数が少なく、組立て作業が容易にできるので、生産性が良く、低コスト化を図ることができる。
【０１０９】
この場合、複数のハンマー部材１１は、ハンマー連結保持部２４が鍵２の配列方向において複数の鍵２に亘って形成され、このハンマー連結保持部２４に複数のハンマー本体部２２それぞれが複数の鍵２それぞれに対応して配列された状態で、ハンマー屈曲部２３それぞれを介して一体に形成されていることにより、鍵２の配列方向において複数の鍵２に亘って形成された１つのハンマー連結保持部２４に複数のハンマー本体部２２をそれぞれハンマー屈曲部２３によって一体に形成することができる。
【０１１０】
このため、鍵２の配列方向において複数の鍵２に亘って形成された１つのハンマー連結保持部２４を設置するだけで、複数のハンマー部材１１を一度に設置することができるので、部品点数を大幅に削減することができると共に、組み立て作業の簡素化を図ることができ、これにより、より一層、生産性を向上させることができると共に、更なる低コスト化を図ることができる。
【０１１１】
また、複数のハンマー部材１１は、鍵２の配列方向において複数の鍵２に亘って配列された状態で、第２成型用金型４５によって一体に形成されていることにより、ハンマー本体部２２、ハンマー屈曲部２３、およびハンマー連結保持部２４を個別に製作して組み付ける必要がなく、複数のハンマー本体部２２をそれぞれハンマー屈曲部２３によって１つのハンマー連結保持部２４に連結させた状態で、第２成型用金型４５によって複数のハンマー部材１１を一度に製作することができる。
【０１１２】
このため、複数のハンマー部材１１は、複数の鍵２に対応する複数のハンマー本体部２２をそれぞれハンマー屈曲部２３によって１つのハンマー連結保持部２４に一体に形成した構成であっても、第２成型用金型４５によって複数のハンマー部材１１を一度に製作することができるので、より一層、生産性を向上させることができると共に、低コスト化を図ることができる。
【０１１３】
また、ハンマー本体部２２は、ハンマー部２５とハンマーアーム２６とを有しており、ハンマー部２５は、縦板部２５ａの両面および外周に複数のリブ部２５ｂが設けられており、ハンマーアーム２６は、縦板部２６ａの両面および上辺部に複数のリブ部２６ｂが設けられており、これら複数のリブ部２５ｂ、２６ｂは、第２成型用金型４５による成型時における型抜き方向に沿い、かつ型抜き可能に形成されていることにより、第２成型用金型４５の構造を簡素化することができる。
【０１１４】
すなわち、このハンマー本体部２２は、ハンマー部２５が縦板部２５ａの両面および外周に複数のリブ部２５ｂを設けた構成で、ハンマーアーム２６が縦板部２６ａの両面および上辺に複数のリブ部２６ｂを設けた構成であっても、第２成型用金型４５によって容易に製作することができるほか、第２成型用金型４５にスライドコアを用いる必要がないので、第２成型用金型４５の構造を簡素化でき、これにより第２成型用金型４５を容易に製作できるので、これによっても生産性および低コスト化を図ることができる。
【０１１５】
さらに、ハンマー屈曲部２３は、鍵２の配列方向の長さが、ハンマー本体部２２における鍵２の配列方向の厚みよりも長く形成されていることにより、ハンマー本体部２２の重量が重くても、ハンマー屈曲部２３の屈曲変形を最適な状態に設定することができる。すなわち、ハンマー本体部２２の重量が重い場合には、ハンマー屈曲部２２における鍵２の配列方向の長さを、ハンマー本体部２２における鍵２の配列方向の厚みと同じか、それよりも長い幅広に形成することにより、押鍵時におけるハンマー屈曲部２３の屈曲変形を最適な状態に設定することができる。
【０１１６】
また、ハンマー本体部２２の重量が軽い場合には、ハンマー屈曲部２３における鍵２の配列方向の長さを、ハンマー本体部２２における鍵２の配列方向の厚みと同じか、それよりも短い幅狭に形成することにより、押鍵時におけるハンマー屈曲部２３の屈曲変形を最適な状態に設定することができる。これにより、ハンマー本体部２２の重量に応じてハンマー屈曲部２３の屈曲変形を最適な状態に設定することができるので、アコースティックピアノの鍵タッチ感に極めて近似した鍵タッチ感を得ることができる。
【０１１７】
なお、上記の実施形態では、伝達支持レール１２とハンマー支持レール１３について、断面が四角形の角筒状に形成されている場合の例を説明したが、これに限られず、例えば、コの字形状のプレス部品を用いる等しても差し支えない。
【０１１８】
また、上記の実施形態では、ハンマー連結保持部２４の後端下面には、図１および図４に示すように、位置決め突起２４ａが設けられており、この位置決め突起２４ａを、ハンマー支持レール１３の上面に設けられた位置決め孔１３ａに挿入することにより、ハンマー連結保持部２４をハンマー支持レール１３上に位置決めする構成について説明したが、これと同様の構成を伝達連結保持部１８が備えているようにしても良い。すなわち、伝達連結保持部１８の例えば後端下面に、位置決め突起２４ａと同様の突起を有することとし、これを伝達支持レール１２の上面に設けられた位置決め孔に挿入することにより、伝達連結保持部１８の位置決めを行うように構成することも可能である。
【０１１９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１２０】
（付記）
請求項１に記載の発明は、複数の鍵と、前記複数の鍵それぞれに対応して設けられ、当該複数の鍵それぞれの押鍵操作に応じて変位する伝達本体部を含む複数の伝達部材と、前記複数の鍵それぞれに対応して設けられ、前記押鍵操作された鍵に対応する前記伝達部材の変位に応じて回転動作することにより、前記押鍵操作されている鍵に対してアクション荷重を付与する複数のハンマー部材と、を備え、
前記複数の伝達部材それぞれは、前記伝達本体部の端部に設けられて上下方向に屈曲する伝達屈曲部と、この伝達屈曲部が連結された伝達連結保持部とを有し、前記伝達本体部、前記伝達屈曲部および前記伝達連結保持部が一体に形成されていることを特徴とする鍵盤装置のアクション機構である。
【０１２１】
請求項２に記載の発明は、請求項１に記載の鍵盤装置のアクション機構において、前記複数の伝達部材は、前記伝達連結保持部が前記鍵の配列方向において前記複数の鍵に亘って形成され、当該伝達連結保持部に、前記複数の伝達本体部それぞれが前記複数の鍵それぞれに対応して配列された状態で、前記伝達屈曲部それぞれを介して一体に形成されていることを特徴とする鍵盤装置のアクション機構である。
【０１２２】
請求項３に記載の発明は、請求項１または請求項２に記載の鍵盤装置のアクション機構において、前記複数の伝達部材は、前記複数の鍵それぞれに対応して配列された状態で、成型用金型によって一体に形成されていることを特徴とする鍵盤装置のアクション機構である。
【０１２３】
請求項４に記載の発明は、請求項３に記載の鍵盤装置のアクション機構において、前記伝達本体部は、板部の両面に複数のリブが設けられており、前記複数のリブは、前記成型用金型による成型時における型抜き方向に沿い、かつ型抜き可能に形成されていることを特徴とする鍵盤装置のアクション機構である。
【０１２４】
請求項５に記載の発明は、請求項１〜請求項４のいずれかに記載の鍵盤装置のアクション機構において、前記伝達屈曲部は、前記鍵の配列方向の長さが、前記伝達本体部における前記鍵の配列方向の長さよりも長く形成されていることを特徴とする鍵盤装置のアクション機構である。
【０１２５】
請求項６に記載の発明は、複数の鍵と、前記複数の鍵それぞれに対応して設けられ、当該複数の鍵それぞれの押鍵操作に応じて変位する複数の伝達部材と、前記複数の鍵それぞれに対応して設けられ、前記押鍵操作された鍵に対応する前記伝達部材の変位に応じて回転動作することにより、前記押鍵操作されている鍵に対してアクション荷重を付与するハンマー本体部を含む複数のハンマー部材と、を備え、
前記複数のハンマー部材それぞれは、前記ハンマー本体部の端部に設けられて上下方向に屈曲するハンマー屈曲部と、このハンマー屈曲部が連結されたハンマー連結保持部とを有し、前記ハンマー本体部、前記ハンマー屈曲部および前記ハンマー連結保持部が一体に形成されていることを特徴とする鍵盤装置のアクション機構である。
【０１２６】
請求項７に記載の発明は、請求項６に記載の鍵盤装置のアクション機構において、前記複数のハンマー部材は、前記ハンマー連結保持部が前記鍵の配列方向において前記複数の鍵に亘って形成され、当該ハンマー連結保持部に、前記複数のハンマー本体部それぞれが前記複数の鍵それぞれに対応して配列された状態で、前記ハンマー屈曲部それぞれを介して一体に形成されていることを特徴とする鍵盤装置のアクション機構である。
【０１２７】
請求項８に記載の発明は、請求項６または請求項７に記載の鍵盤装置のアクション機構において、前記複数のハンマー部材は、前記複数の鍵それぞれに対応して配列された状態で、成型用金型によって一体に形成されていることを特徴とする鍵盤装置のアクション機構である。
【０１２８】
請求項９に記載の発明は、請求項８に記載の鍵盤装置のアクション機構において、前記ハンマー本体部は、板部の両面に複数のリブが設けられており、前記複数のリブは、前記成型用金型による成型時における型抜き方向に沿い、かつ型抜き可能に形成されていることを特徴とする鍵盤装置のアクション機構である。
【０１２９】
請求項１０に記載の発明は、請求項６〜請求項９のいずれかに記載の鍵盤装置のアクション機構において、前記ハンマー屈曲部は、前記鍵の配列方向の長さが、前記ハンマー本体部における前記鍵の配列方向の長さよりも長く形成されていることを特徴とする鍵盤装置のアクション機構である。
【０１３０】
請求項１１に記載の発明は、請求項１〜請求項１０のいずれかに記載された鍵盤装置のアクション機構を備えていることを特徴とする鍵盤楽器である。
【符号の説明】
【０１３１】
１  鍵盤装置
２  鍵
３  アクション機構
１０  伝達部材
１１  ハンマー部材
１２  伝達支持レール
１３  ハンマー支持レール
１６  伝達本体部
１６ａ  縦板部
１６ｂ  リブ部
１７  伝達屈曲部
１８  伝達連結保持部
２２  ハンマー本体部
２３  ハンマー屈曲部
２４  ハンマー連結保持部
２５  ハンマー部
２５ａ  縦板部
２５ｂ  リブ部
２６  ハンマーアーム
２６ａ  縦板部
２６ｂ  リブ部
４０  第１成型用金型
４１  第１上金型
４２  第１下上金型
４３  第１空洞部
４３ａ  上側空洞部
４３ｂ  下側空洞部
４４  第１分割ライン
４５  第２成型用金型
４６  第２上金型
４７  第２下上金型
４８  第２空洞部
４８ａ  上側空洞部
４８ｂ  下側空洞部
４９  第２分割ライン
【図１】
0006413395.tif 000002
【図２】
0006413395.tif 000003
【図３】
0006413395.tif 000004
【図４】
0006413395.tif 000005
【図５】
0006413395.tif 000006
【図６】
0006413395.tif 000007
【図７】
0006413395.tif 000008